(57)【特許請求の範囲】
【請求項１】
可撓なホースと、
前記ホースの端部に固定される回転管と、
前記回転管に設けられる複数の環状の導電性レールと、
前記回転管が周方向へ回転自在になるよう前記回転管の外側に嵌まって前記複数のレールを覆う継手管と、
前記継手管の外周面に設けられて、掃除機本体に差し込まれた前記継手管を着脱自在に固定するクランプと、
前記クランプを間に挟んで設けられる複数の外部接続端子と、
前記クランプから見て前記継手管の反対側、かつ前記継手管の長手方向において前記クランプと実質的に同じ位置に配置され、かつ前記複数のレールのそれぞれに接する複数の内部接続端子と、
前記継手管の外周側に敷設されて、前記複数の内部接続端子のそれぞれと前記複数の外部接続端子のそれぞれとを電気的に接続する複数の導線と、
前記継手管に設けられて前記導線を保護するトンネル部と、を備える電気掃除機用ホース。
【請求項２】
前記クランプを保持するとともに、前記トンネル部の一部である第一トンネルカバーを一体に有するクランプカバーを備える請求項１に記載の電気掃除機用ホース。
【請求項３】
前記内部接続端子の端子台と、前記トンネル部の一部である第二トンネルカバーと、を一体に有して前記複数のレールと前記複数の内部接続端子との接続箇所を覆う端子カバーを備える請求項１または２に記載の電気掃除機用ホース。
【請求項４】
掃除機本体と、
前記掃除機本体に収容された電動送風機と、
前記電動送風機に連通された請求項１から３のいずれか１項に記載の電気掃除機用ホースと、を備えたことを特徴とする電気掃除機。
【発明の詳細な説明】
【技術分野】
【０００１】
本発明に係る実施形態は、電気掃除機用ホースおよび電気掃除機に関する。
【背景技術】
【０００２】
掃除機本体に着脱自在に接続される継手管を備える電気掃除機用のホースが知られている。電気掃除機用ホースは、掃除機本体の旋回性を損なわないように、可撓なホースと接続管とを、これらの中心線まわりに回転自在な支持構造を備えている。具体的には、可撓なホースの端部に固定管を設け、この固定管を継手管に嵌め込んで、回転自在になるよう抜け止めを施す支持構造を備えている。
【０００３】
ところで、可撓なホースは、掃除機本体側の端部から反対側の端部へと通電する導線を備えるものがある。
【０００４】
そこで、従来の電気掃除機用ホースは、継手管を掃除機本体に固定するクランプの近傍、およびクランプから見て継手管の反対側に、掃除機本体に電気的に接続される複数のピン状の外部接続端子を備えている。
【先行技術文献】
【特許文献】
【０００５】
【特許文献１】特開平１０−８５１６０号公報
【発明の概要】
【発明が解決しようとする課題】
【０００６】
一般に、電気掃除機用ホースを掃除機本体に固定するクランプは１つのみ設けられている。また、電気掃除機用ホースの継手管と掃除機本体との嵌め合いは、すきまばめの関係にある。
【０００７】
このため、電気掃除機用ホースと掃除機本体とを電気的に接続する外部接続端子の通電を確実に保証するためには、極力、クランプの近傍に外部接続端子を配置して、嵌め合いの隙間の影響を避けることが好ましい。つまり、従来の電気掃除機用ホースのように外部接続端子の一部であってもクランプの反対側に外部接続端子を配置することは避けたい。
【０００８】
その一方で、クランプの近傍に外部接続端子を集中的に配置すると、ホースに敷設される導線と外部接続端子との電気的な接続を図るためのスペースを確保することが難しくなる。例えば、ホースに敷設される導線と外部接続端子との電気的な接続箇所、つまり内部接続端子を、クランプの近傍を避けて継手管の長手方向へ偏倚させて配置することが考えられる。しかし、このような構造様式では、ホース端部の継手構造が長手方向へ延長されることになる。継手構造が長手方向へ延長されると、掃除機本体から突出する継手管の長さが長くなり、接続管を含む掃除機本体の旋回半径が拡大して、小回りの観点で都合が悪い。
【０００９】
そこで、本発明は、継手構造の長手方向寸法を拡大または延長させることなく、継手構造を掃除機本体に固定するクランプの近傍に、掃除機本体との電気的接続を担う外部接続端子を集中的に配置可能な電気掃除機用ホースおよび電気掃除機を提案することを目的とする。
【課題を解決するための手段】
【００１０】
前記の課題を解決するため本発明の実施形態に係る電気掃除機用ホースは、可撓なホースと、前記ホースの端部に固定される回転管と、前記回転管に設けられる複数の環状の導電性レールと、前記回転管が周方向へ回転自在になるよう前記回転管の外側に嵌まって前記複数のレールを覆う継手管と、前記継手管の外周面に設けられて、掃除機本体に差し込まれた前記継手管を着脱自在に固定するクランプと、前記クランプを間に挟んで設けられる複数の外部接続端子と、前記クランプから見て前記継手管の反対側、かつ前記継手管の長手方向において前記クランプと実質的に同じ位置に配置され、かつ前記複数のレールのそれぞれに接する複数の内部接続端子と、前記継手管の外周側に敷設されて、前記複数の内部接続端子のそれぞれと前記複数の外部接続端子のそれぞれとを電気的に接続する複数の導線と、前記継手管に設けられて前記導線を保護するトンネル部と、を備えている。
【００１１】
また、本発明の実施形態に係る電気掃除機は、掃除機本体と、前記掃除機本体に収容された電動送風機と、前記電動送風機に連通された前記電気掃除機用ホースと、を備えたことを特徴とする。
【図面の簡単な説明】
【００１２】
【図１】本発明の実施形態に係る電気掃除機の斜視図。
【図２】本発明の実施形態に係る電気掃除機用ホースの接続管側の斜視図。
【図３】本発明の実施形態に係る電気掃除機用ホースの接続管側の分解斜視図。
【発明を実施するための形態】
【００１３】
本発明に係る電気掃除機用ホースおよび電気掃除機の実施形態について、図１から図３を参照して説明する。
【００１４】
図１は、本発明の実施形態に係る電気掃除機の斜視図である。
【００１５】
図１に示すように、本実施形態に係る電気掃除機１は、いわゆるキャニスタ型の電気掃除機である。電気掃除機１は、被掃除面上を走行可能な掃除機本体２と、掃除機本体２に着脱自在な管部３と、を備えている。掃除機本体２と管部３とは、流体的に接続されている。
【００１６】
掃除機本体２は、本体ケース５と、本体ケース５の左右それぞれの側部に設けられる一対の車輪６と、本体ケース５の前半部に配置される着脱自在な塵埃分離装置７と、本体ケース５の後半部分に収容される電動送風機８と、主に電動送風機８を制御する本体制御部９と、電動送風機８へ電力を導く電源コード１１と、を備えている。
【００１７】
掃除機本体２は、電源コード１１を通じて供給される電力で電動送風機８を駆動させて、電動送風機８の駆動によって発生する負圧を管部３に作用させる。電気掃除機１は、管部３を通じて被掃除面から塵埃を含んだ空気（以下、「含塵空気」と呼ぶ。）を吸い込み、含塵空気から塵埃を分離し、分離後の塵埃を捕集し、蓄積するとともに塵埃が除去された清浄な空気を排気する。
【００１８】
本体ケース５の正面部分には、本体接続口１２が設けられている。本体接続口１２は、掃除機本体２の流体的な入口である。本体接続口１２は、管部３と塵埃分離装置７とを流体的に接続している。
【００１９】
車輪６は、大径の走行輪であり、掃除機本体２を支えている。
【００２０】
塵埃分離装置７は、掃除機本体２に流れ込む含塵空気から塵埃を分離し、捕集し、蓄積する一方で、塵埃が除去された清浄な空気を電動送風機８へ送る。
【００２１】
また、塵埃分離装置７は、全体として略円筒形状の外観を有している。塵埃分離装置７は、掃除機本体２に対して底部を前方側へ、頂部を後方側へ片寄せて、若干後傾する姿勢で掃除機本体２に寄り掛かかるようにして装着されている。塵埃分離装置７は、掃除機本体２に着脱自在に固定されている。
【００２２】
電動送風機８は、塵埃分離装置７から空気を吸い込んで負圧（吸込負圧）を発生させる。
【００２３】
本体制御部９は、マイクロプロセッサ（図示省略）、およびマイクロプロセッサが実行する各種演算プログラム、パラメータなどを記憶する記憶装置（図示省略）を備えている。記憶装置には、予め設定される複数の運転モードが記憶されている。予め設定される複数の運転モードは、管部３へ入力される使用者の操作に対応している。それぞれの運転モードには相互に異なる入力値（電動送風機８の入力値）が設定されている。本体制御部９は、管部３に入力される使用者の操作に応じて、その操作内容に対応する任意の運転モードを予め設定される複数の運転モードから択一的に選択して記憶部から読み出し、読み出した運転モードにしたがって電動送風機８の運転を制御する。
【００２４】
電源コード１１は、配線用差込接続器（図示省略、所謂コンセント）から掃除機本体２へ電力を供給する。電源コード１１の自由端部には、差込プラグ１４が設けられている。
【００２５】
管部３は、掃除機本体２から作用する負圧によって、被掃除面から含塵空気を吸い込み掃除機本体２へ案内する。管部３は、掃除機本体２に着脱自在に接続される継手としての接続管１９と、接続管１９に流体的に接続される集塵ホース２１と、集塵ホース２１に流体的に接続される手元操作管２２と、手元操作管２２から突出する把持部２３と、把持部２３に設けられる操作部２４と、手元操作管２２に着脱自在に接続される延長管２５と、延長管２５に着脱自在に接続される吸込口体２６と、を備えている。
【００２６】
接続管１９は、本体接続口１２へ着脱自在な継手であり、本体接続口１２を通じて塵埃分離装置７に流体的に接続されている。
【００２７】
集塵ホース２１は、長尺で可撓な略円筒形状のホースである。集塵ホース２１の一方の端部（ここでは、後方の端部）は、接続管１９に流体的に接続されている。集塵ホース２１は、接続管１９を通じて塵埃分離装置７に流体的に接続されている。
【００２８】
なお、接続管１９および集塵ホース２１は、一体化された電気掃除機用ホース２７である。
【００２９】
手元操作管２２は、集塵ホース２１と延長管２５とを中継している。手元操作管２２の一方の端部（ここでは、後方の端部）は、集塵ホース２１の他方の端部（ここでは、前方の端部）に流体的に接続されている。手元操作管２２は、集塵ホース２１および接続管１９を順次に通じて塵埃分離装置７に流体的に接続されている。
【００３０】
把持部２３は、電気掃除機１を操作するために使用者が手で把持する部分である。把持部２３は、使用者の手で容易に把持できる適宜の形状で手元操作管２２から突出している。
【００３１】
操作部２４は、それぞれの運転モードに対応付けられるスイッチを備えている。具体的には、操作部２４は、電動送風機８の運転停止操作に対応付けられる停止スイッチ２４ａと、電動送風機８の運転開始操作に対応付けられる起動スイッチ２４ｂと、を備えている。停止スイッチ２４ａおよび起動スイッチ２４ｂは、本体制御部９に電気的に接続されている。電気掃除機１の使用者は、操作部２４を操作して電動送風機８の運転モードを択一的に選択できる。起動スイッチ２４ｂは、電動送風機８の運転中に、運転モードの選択スイッチとしても機能している。この場合、本体制御部９は、起動スイッチ２４ｂから操作信号を受け取る度に運転モードを強→中→弱→強→………の順に切り換える。なお、操作部２４は、起動スイッチ２４ｂに代えて、弱運転スイッチ（図示省略）、中運転スイッチ（図示省略）および強運転スイッチ（図示省略）を個別に備えていても良い。
【００３２】
複数の筒状体を重ね合わせたテレスコピック構造の延長管２５は、伸縮自在な細長略円筒状の管である。延長管２５の一方の端部（ここでは、後方の端部）には、手元操作管２２の他方の端部（ここでは、前方の端部）に着脱自在な継手構造が設けられている。延長管２５は、手元操作管２２、集塵ホース２１および接続管１９を通じて塵埃分離装置７に流体的に接続されている。
【００３３】
吸込口体２６は、木床やカーペットなどの被掃除面上を走行自在あるいは滑走自在であり、走行状態または滑走状態において被掃除面に対向する底面に吸込口２８を有している。また、吸込口体２６は、吸込口２８に配置されている回転自在な回転清掃体２９と、回転清掃体２９を駆動させる電動機３１と、を備えている。吸込口体２６の一方の端部（ここでは、後方の端部）には、延長管２５の他方の端部（ここでは、前方の端部）に着脱自在な継手構造が設けられている。吸込口体２６は、延長管２５、手元操作管２２、集塵ホース２１および接続管１９を通じて塵埃分離装置７に流体的に接続されている。つまり、吸込口体２６、延長管２５、手元操作管２２、集塵ホース２１、接続管１９、および塵埃分離装置７は、電動送風機８から吸込口２８へ通じる吸込風路である。
【００３４】
電気掃除機１は、起動スイッチ２４ｂに対する使用者の操作を受け付けると電動送風機８を始動させる。例えば、電気掃除機１は、電動送風機８が停止している状態で起動スイッチ２４ｂが操作されると、先ず電動送風機８を強運転モードで運転し、再び起動スイッチ２４ｂが操作されると電動送風機８を中運転モードで運転し、三度、起動スイッチ２４ｂが操作されると電動送風機８を弱運転モードで運転し、以下同様に繰り返す。強運転モード、中運転モードおよび弱運転モードは、予め設定される複数の運転モードであり、強運転モード、中運転モード、弱運転モードの順に電動送風機８に対する入力値が小さい。始動した電動送風機８は、塵埃分離装置７から空気を排気してその内部を負圧（吸込負圧）にする。
【００３５】
塵埃分離装置７の負圧は、本体接続口１２、接続管１９、集塵ホース２１、手元操作管２２、延長管２５、および吸込口体２６を順次に通じて吸込口２８に作用する。電気掃除機１は、吸込口２８に作用した負圧によって、被掃除面上の塵埃を空気とともに吸い込んで被掃除面を掃除する。塵埃分離装置７は、電気掃除機１に吸い込まれた含塵空気から塵埃を分離し、蓄積する一方で、塵埃を分離した後の清浄な空気を電動送風機８へ送る。電動送風機８は塵埃分離装置７から吸い込んだ空気を掃除機本体２外へ排気する。
【００３６】
次に、電気掃除機用ホース２７について、詳細に説明する。
【００３７】
図２は、本発明の実施形態に係る電気掃除機用ホースの接続管側の斜視図である。
【００３８】
図３は、本発明の実施形態に係る電気掃除機用ホースの接続管側の分解斜視図である。
【００３９】
図２および図３に示すように、本実施形態に係る電気掃除機１の電気掃除機用ホース２７は、可撓な集塵ホース２１と、集塵ホース２１の端部に設けられる接続管１９と、を備えている。
【００４０】
集塵ホース２１は、掃除機本体２側と手元操作管２２側とを電気的に接続する螺旋状の導線（図示省略）を備えている。導線は、集塵ホース２１の螺旋状の凹凸のうち凸部２１ａに埋設されている。
【００４１】
接続管１９は、集塵ホース２１の端部に固定される回転管３６と、回転管３６に設けられる複数の環状の導電性レール３７と、回転管３６が周方向へ回転自在になるよう回転管３６の外側に嵌まって複数のレール３７を覆う継手管３８と、継手管３８の外周面に設けられて、掃除機本体２に差し込まれた継手管３８を着脱自在に固定するクランプ４１と、クランプ４１を間に挟んで設けられる複数の外部接続端子４２と、クランプ４１から見て継手管３８の反対側に配置され、かつ複数のレール３７のそれぞれに接する複数の内部接続端子４３と、継手管３８の外周側に敷設されて、複数の内部接続端子４３のそれぞれと複数の外部接続端子４２のそれぞれとを電気的に接続する複数の導線４５と、継手管３８に設けられて導線４５を保護するトンネル部４６と、を備えている。
【００４２】
また、接続管１９は、クランプ４１を保持するとともに、トンネル部４６の一部である第一トンネルカバー４７を一体に有するクランプカバー４８を備えている。
【００４３】
さらに、接続管１９は、内部接続端子４３の端子台５１と、トンネル部４６の一部である第二トンネルカバー５２と、を一体に有して複数のレール３７と複数の内部接続端子４３との接続箇所を覆う端子カバー５３を備えている。
【００４４】
回転管３６は、継手管３８内に配置される先端（自由端）側から見て、環状の凹溝５５と、複数条の環状のレール台５６と、継手管３８の外側に配置されるホースカバー５７と、を備えている。回転管３６は、凹溝５５を有する先端部５８、レール台５６、ホースカバー５７の順に直径が段階的に拡大している。
【００４５】
凹溝５５は、回転管３６のうち自由端部に設けられている。凹溝５５には、端子カバー５３に設けられる抜け止め爪５９が嵌め込まれる。
【００４６】
複数条、例えば４条のレール台５６は、回転管３６のうち継手管３８内に配置される部分に設けられている。
【００４７】
ホースカバー５７は、実質的に半周ずつに分割される半体５７ａ、５７ｂを組み合わせて集塵ホース２１の自由端部を保護している。
【００４８】
複数、例えば４条のレール３７は、回転管３６のレール台５６に保持されている。それぞれのレール３７は、集塵ホース２１に設けられる複数の導線のそれぞれに、個別に接続されている。
【００４９】
継手管３８は、一体成形品であり、掃除機本体２の本体接続口１２に差し込まれる差し込み管部６１と、回転管３６が配置される外嵌め管部６２と、クランプ４１を配置するクランプ台６３と、内部接続端子４３を収容してレール３７に接触させる端子箱６５と、導線４５が配置されるトンネル半部６６と、を備えている。
【００５０】
差し込み管部６１は、掃除機本体２の本体接続口１２への接続管１９の挿抜の操作性を高めるために、僅かに先細っている。差し込み管部６１と掃除機本体２の本体接続口１２との嵌め合いは、すきまばめである。
【００５１】
外嵌め管部６２は、差し込み管部６１よりも大径である。外嵌め管部６２は、その内側に回転管３６を回転自在に支え、その外側にクランプ４１、外部接続端子４２、内部接続端子４３、および導線４５を保持している。
【００５２】
クランプ台６３は、継手管３８の周方向に見て中央部にクランプ４１を配置するスペースを確保する一方で、クランプ４１を挟む複数の外部接続端子４２を保持する端子保持爪６７を備えている。端子保持爪６７は、ピン状の外部接続端子４２の先端をクランプ台６３から突出させている。
【００５３】
端子箱６５は、外嵌め管部６２の内外を繋げる開口（図示省略）を有している。
【００５４】
クランプ台６３と端子箱６５と、ひいてはクランプカバー４８と端子カバー５３とは、外嵌め管部６２の長手方向において、実質的に同じ箇所に配置されている。
【００５５】
トンネル半部６６は、外嵌め管部６２の外周に沿ってクランプ台６３と端子箱６５とを繋げている。トンネル半部６６の途中には、アーチ状に架かるトンネルカバー保持橋６８が設けられている。
【００５６】
クランプ４１は、掃除機本体２の本体接続口１２に設けられる凹部（図示省略）に引っ掛かって接続管１９を固定する爪７１と、掃除機本体２の本体接続口１２から接続管１９を引き抜く際に凹部に掛かる爪７１を解除する押圧ボタン７２と、を備えている。
【００５７】
また、クランプ４１は、クランプカバー４８とクランプ台６３との間に挟み込まれ、継手管３８の径方向へ往復動自在に保持されている。クランプ４１は、継手管３８の径方向へ向かって、換言すると爪７１が凹部へ掛かる方向へ向かってコイルバネ７３のばね力を受けている。
【００５８】
複数の内部接続端子４３は、回転管３６のレール台５６に対応して、接続管１９の長手方向に沿って並んでいる。
【００５９】
それぞれの内部接続端子４３は、二股に伸びる板ばね状の構造を有し、一対の自由端部のそれぞれに半球状の接点７５を備えている。内部接続端子４３は、継手管３８の端子箱６５に端子カバー５３を装着すると、端子箱６５内の開口を通じてレール３７に到達し、接点７５を板ばね構造のばね力で押さえ付けて電気的な接続を確実に保つ。
【００６０】
複数の外部接続端子４２は、クランプ４１の近傍に、クランプ４１を挟み込みように配置されている。
【００６１】
導線４５は、継手管３８のトンネル半部６６に配置され、トンネルカバー保持橋６８をくぐるように敷設されている。
【００６２】
トンネル部４６は、継手管３８のトンネル半部６６をクランプカバー４８の第一トンネルカバー４７、および端子カバー５３の第二トンネルカバー５２で閉じた空間に敷設される導線４５を保護している。
【００６３】
トンネル半部６６は、トンネルカバー保持橋６８を境に継手管３８のクランプ台６３側に配置される弧状の第一トンネル半部７６と、端子箱６５側に配置される弧状の第二トンネル半部７７と、を有している。
【００６４】
第一トンネルカバー４７は、トンネルカバー保持橋６８に差し込まれ、クランプカバー４８とともに固定されて第一トンネル半部７６を閉ざしている。
【００６５】
第二トンネルカバー５２は、トンネルカバー保持橋６８に差し込まれ、端子カバー５３とともに固定されて第二トンネル半部７７を閉ざしている。
【００６６】
クランプカバー４８は、継手管３８のクランプ台６３を閉じてクランプ４１と外部接続端子４２とを保持している。クランプカバー４８は、複数の螺子７８でクランプ台６３に固定されている。
【００６７】
端子カバー５３は、継手管３８の端子箱６５を閉じて内部接続端子４３を保持している。端子カバー５３の内側には内部接続端子４３を固定する端子台５１が設けられている。端子カバー５３には、抜け止め爪５９が一体成形されている。抜け止め爪５９は、継手管３８から回転管３６が抜け出さないよう、かつ継手管３８と回転管３６とを回転自在になるよう、回転管３６の凹溝５５に嵌まり込んでいる。
【００６８】
本実施形態に係る電気掃除機１および電気掃除機用ホース２７は、クランプ４１を間に挟んで設けられる複数の外部接続端子４２と、クランプ４１から見て継手管３８の反対側に配置される複数の内部接続端子４３と、継手管３８の外周側に敷設される複数の導線４５と、導線４５を保護するトンネル部４６と、を備えることによって、外部接続端子４２をクランプ４１の近傍に集中的に配置する一方で、内部接続端子４３の設置スペースを接続管１９の長手方向へ延長、あるいは拡大させることなく、接続管１９をコンパクトに纏めることができる。このことは、接続管１９の掃除機本体２からの突出長さを抑制し、ひいては掃除機本体２の旋回半径の拡大を抑制して小回り性能を向上させる。
【００６９】
また、本実施形態に係る電気掃除機１および電気掃除機用ホース２７は、クランプ４１を間に挟んで設けられる複数の外部接続端子４２と、クランプ４１から見て継手管３８の反対側に配置される複数の内部接続端子４３と、継手管３８の外周側に敷設される複数の導線４５と、導線４５を保護するトンネル部４６と、を備えることによって、掃除機本体２と外部接続端子４２との電気的な接続箇所をクランプ４１で強固に固定して、両者の導通を確実にできる。
【００７０】
さらに、本実施形態に係る電気掃除機１および電気掃除機用ホース２７は、第一トンネルカバー４７を一体に有するクランプカバー４８を備えることによって、簡易な構造で導線４５を確実に保護できる。
【００７１】
さらにまた、本実施形態に係る電気掃除機１および電気掃除機用ホース２７は、端子台５１および第二トンネルカバー５２を一体に有する端子カバー５３を備えることによって、内部接続端子４３を組み付けるのと同時に、簡易な構造で導線４５を確実に保護できる。
【００７２】
したがって本発明の実施形態に係る電気掃除機１および電気掃除機用ホース２７によれば、継手構造（具体的には接続管１９）の長手方向寸法を拡大または延長させることなく、継手構造を掃除機本体２に固定するクランプ４１の近傍に、掃除機本体２との電気的接続を担う外部接続端子４２を集中的に配置できる。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１  電気掃除機
２  掃除機本体
３  管部
５  本体ケース
６  車輪
７  塵埃分離装置
８  電動送風機
９  本体制御部
１１  電源コード
１２  本体接続口
１４  差込プラグ
１９  接続管
２１  集塵ホース
２１ａ  凸部
２２  手元操作管
２３  把持部
２４  操作部
２４ａ  停止スイッチ
２４ｂ  起動スイッチ
２５  延長管
２６  吸込口体
２７  電気掃除機用ホース
２８  吸込口
２９  回転清掃体
３１  電動機
３６  回転管
３７  レール
３８  継手管
４１  クランプ
４２  外部接続端子
４３  内部接続端子
４５  導線
４６  トンネル部
４７  第一トンネルカバー
４８  クランプカバー
５１  端子台
５２  第二トンネルカバー
５３  端子カバー
５５  凹溝
５６  レール台
５７  ホースカバー
５７ａ、５７ｂ  半体
５８  先端部
５９  抜け止め爪
６１  差し込み管部
６２  外嵌め管部
６３  クランプ台
６５  端子箱
６６  トンネル半部
６７  端子保持爪
６８  トンネルカバー保持橋
７１  爪
７２  押圧ボタン
７３  コイルバネ
７５  接点
７６  第一トンネル半部
７７  第二トンネル半部
７８  螺子
【図１】
0006567906.tif 000002
【図２】
0006567906.tif 000003
【図３】
0006567906.tif 000004